(57)【要約】【課題】端末を取り扱う際の曲げ力や振動による導体接続端子（オス端子）の緩みを防止できる機構を備えたケーブル端末部を提供する。【解決手段】ケーブル端末部１０は、その内壁に突起部２ａを有する端末部絶縁体２と、端末部絶縁体２に埋め込まれて固定された、その内周面にメネジ部２１ａを有する埋込金具２１と、端末部絶縁体２の突起部２ａと対向する先端側オネジ部１ａおよびメネジ部２１ａと螺合する導体側オネジ部１ｂ（ネジ部２４を構成）をその外周面に有する導体接続端子（オス端子）１と、突起部２ａと接して長手方向の移動が阻止される導体接続端子１の緩み防止用部材としてのロックリング２２とを備え、当該ロックリング２２が先端側オネジ部１ａと導体側オネジ部１ｂの間に設けられたオネジを有しないロックリング装着部１ｃに装着されている。【選択図】図２
2007244085.tif 000002
【特許請求の範囲】
【請求項１】
導体接続端子の外周に端末部絶縁体が設けられたケーブル端末部であって、内壁に突起部を有する前記端末部絶縁体と、前記端末部絶縁体に埋め込まれて固定された、その内周面にメネジ部を有する埋込金具と、前記突起部と対向する先端側オネジ部および前記メネジ部と螺合する導体側オネジ部をその外周面に有する前記導体接続端子と、前記突起部と接して長手方向の移動が阻止される前記導体接続端子の緩み防止用部材とを備え、前記緩み防止用部材は、前記導体接続端子の前記先端側オネジ部と前記導体側オネジ部の間に設けられたオネジを有しない緩み防止用部材装着部に装着されていることを特徴とするケーブル端末部。
【発明の詳細な説明】
【技術分野】
【０００１】
本発明は、ケーブル端末部に関し、特に、バイパス電力ケーブル用のケーブル端末部に関するものである。
【背景技術】
【０００２】
従来のバイパス電力ケーブル用のケーブル端末部として、例えば、特許文献１に記載のものが知られている。このケーブル端末部の導体接続端子（オス端子）は相手側のブッシングに挿入されて着脱自在に嵌合して電気的に接続する。図１にはその導体接続端子の接続構造が示され、保護ケース１内の導体２、その導体２に接続された導体接続端子（オス端子）とこれらの周囲に内部半導電層３が設けられている。しかし、この接続構造には導体接続端子（オス端子）の緩み防止についての記載が見当たらず、仮に、導体接続端子（オス端子）が曲げ力や振動で次第に緩んだ場合には、接続中心軸から軸ズレして相手側ブッシングとの電気的接続が不可能になってしまう。また、導体接続端子（オス端子）の緩みにより、端末下部に位置するケーブル遮蔽層の接続部分が切断してしまう、接続部絶縁体から引き抜ける等の問題が生じる。
【０００３】
この導体接続端子（オス端子）の緩み防止手段としては、２つのナット（２重ナット）、又はスプリングワッシャとロックリングによる固定方法がある。
【特許文献１】特開平８−２５６４２９号公報（図１）
【発明の開示】
【発明が解決しようとする課題】
【０００４】
しかしながら、２重ナットで固定する方法では、取付部分が狭く、十分な締め付けトルクを与えることができず、ブッシング等への挿抜によりケーブル端末部の端末を取り扱う際の曲げ力や振動で次第に緩むという問題がある。
【０００５】
また、スプリングワッシャとロックリングによる固定する方法では、スプリングワッシャ自体が弾力性を有することから、上述したブッシング等への挿抜によりケーブル端末部の端末を取り扱う際の曲げ力や振動で次第に緩むという問題がある。
【０００６】
従って、本発明の目的は、端末を取り扱う際の曲げ力や振動による導体接続端子（オス端子）の緩みを防止できる機構を備えたケーブル端末部を提供することにある。
【課題を解決するための手段】
【０００７】
本発明は、上記目的を達成するため、導体接続端子の外周に端末部絶縁体が設けられたケーブル端末部であって、内壁に突起部を有する前記端末部絶縁体と、前記端末部絶縁体に埋め込まれて固定された、その内周面にメネジ部を有する埋込金具と、前記突起部と対向する先端側オネジ部および前記メネジ部と螺合する導体側オネジ部をその外周面に有する前記導体接続端子と、前記突起部と接して長手方向の移動が阻止される前記導体接続端子の緩み防止用部材とを備え、前記緩み防止用部材は、前記導体接続端子の前記先端側オネジ部と前記導体側オネジ部の間に設けられたオネジを有しない緩み防止用部材装着部に装着されていることを特徴とするケーブル端末部を提供する。
【発明の効果】
【０００８】
本発明によれば、端末を取り扱う際の曲げ力や振動による導体接続端子（オス端子）の緩みを防止できる機構を備えたケーブル端末部を提供できる。
【発明を実施するための最良の形態】
【０００９】
〔本発明の実施の形態〕
【００１０】
図１は、本発明の実施の形態に係るケーブル端末部の概略を示す側面図（一部断面）である。また、図２は、図１におけるＡ領域の拡大図である。さらに、図３は、本発明の実施の形態に係るケーブル端末部の組み立てフローの一部を示す説明図である。
【００１１】
本発明の実施の形態に係るケーブル端末部１０は、段剥ぎによりケーブル導体３１、ケーブル絶縁体３２、ケーブル外部半導電層３３、ケーブル遮蔽層３４が露出した電力ケーブル３０の一端に設けられている。
【００１２】
ケーブル端末部１０は、ケーブル導体３１に接続した導体接続端子１、導体接続端子１の周囲を覆い、その導体接続端子１側の部分が半導電性、中間部分が絶縁性および外側部分が半導電性を有する三層構造からなる端末部絶縁体２、端末部絶縁体２の外周を覆う端末保護ケース３、ケーブル絶縁体３２の外周を被覆するゴムスペーサー６、端末部絶縁体２（の外側部分である半導電性ゴム）からケーブル外部半導電層３３に跨ってゴムスペーサー６上に巻かれる半導電性テープ７ａ、半導電性テープ７ａ上に巻かれる絶縁テープ７ｂ、絶縁テープ７ｂの外周に巻かれる保護テープ８、金属製の端末保護ケース３と電力ケーブル３０（のシース）との間に介在されるゴムスペーサー９、端末保護ケース３から電力ケーブル３０（のシース）に跨って覆う保護カバー１１、端末保護ケース３と接続され、その端末を圧着スリーブ１３で束ねられて収縮チューブ１２により覆われたケーブル遮蔽層３４等を備えて構成されている。一般的な構成部材については、従来品と同様の素材にて形成される。なお、ケーブル端末部１０の端末保護ケース３には、その先端部側に接続用袋ナット４を回転自在に取付け、その接続用袋ナット４の先端部にプーリングキャップ５が適宜に設置される。
【００１３】
本実施の形態に係るケーブル端末部１０は、上述した三層構造からなり、その半導電性を有する導体接続端子１側の部分の内壁に突起部２ａを有する端末部絶縁体２と、端末部絶縁体２に埋め込まれて固定された、その内周面にメネジ部２１ａを有する埋込金具２１と、端末部絶縁体２の突起部２ａと対向する先端側オネジ部１ａおよびメネジ部２１ａと螺合する導体側オネジ部１ｂをその外周面に有する導体接続端子（オス端子）１と、突起部２ａと接して長手方向の移動が阻止される導体接続端子１の緩み防止用部材としてのロックリング２２とを備え、当該ロックリング２２が先端側オネジ部１ａと導体側オネジ部１ｂの間に設けられたオネジを有しないロックリング装着部（緩み防止用部材装着部）１ｃに装着されていることを特徴とする。メネジ部２１ａと導体側オネジ部１ｂにより、ネジ部２４を構成する。
【００１４】
導体接続端子（オス端子）１の外周面には、端末部絶縁体２の突起部２ａと対向する位置に先端側オネジ部１ａが設けられており、また、それよりもケーブル導体３１寄りに埋込金具２１のメネジ部２１ａと螺合する導体側オネジ部１ｂが設けられている。先端側オネジ部１ａは、２〜３山程度のオネジ部であることが望ましい。
【００１５】
また、先端側オネジ部１ａと導体側オネジ部１ｂの間には、オネジを有しないロックリング２２が装着されるロックリング装着部（緩み防止用部材装着部）１ｃが設けられている。ロックリング装着部１ｃは、ロックリング２２の厚み程度の幅で形成されている。
【００１６】
端末部絶縁体２は、上述したとおり三層構造からなる例えばゴム成形品であり、その半導電性を有する導体接続端子１側の部分の内壁にゴムからなる突起部２ａを有する。突起部２ａは、内壁に沿って１周連続して設けられていても、断続して設けられていてもよい。
【００１７】
突起部２ａは、ロックリング２２を押し込むときの障害とならない程度の弾力性を有しており、かつ装着後のロックリング２２が移動するのを防止する機能を有する。突起部２ａの高さと幅は適宜調整される。
【００１８】
ロックリング２２は、金属製でリング形状をなし、その内周面にメネジ部２２ａを有している。ロックリング２２は、突起部２ａと接して、前述のロックリング装着部１ｃに装着されることにより、長手方向（図２における左右方向）への移動が阻止される。
【００１９】
緩み防止用部材としては、Ｏリング形状のロックリング２２のほか、Ｃリング形状等の部材を使用することもできる。Ｃリング形状の部材を用いる場合には、突起部２ａが端末部絶縁体２の内壁に沿って１周連続して設けられていることが望ましい。また、Ｃリング形状のものには、その内周面にメネジ部を施すか否かはその導体接続端子との組み合わせにより決まる。
【００２０】
次に、図３に基づいて、ケーブル端末部の組み立て手順について説明する。
図３（ａ）に示すように、導体接続端子１を端末部絶縁体２の中へ挿入し、導体接続端子１の導体側オネジ部１ｂと埋込金具２１のメネジ部２１ａとを螺合させてネジ部２４を形成する。続いて、図３（ｂ）に示すように、ロックリング２２の孔２２ｂに導体接続端子１を通し、端末部絶縁体２の突起部２ａを弾力変形させつつ、ロックリング２２のメネジ部２２ａと導体接続端子１の先端側オネジ部１ａとを螺合させて、さらにネジを回して先端側オネジ部１ａを越えるまで押し込み、図２に示すように、ロックリング２２をロックリング装着部１ｃに装着する。
【００２１】
ロックリング２２は、導体接続端子１のオネジ部に嵌合していないので、振動でロックリング２２が回転しても単に回転するのみで長手方向（図面上の左右方向）へロックリング２２を動かす力は発生せず、ネジ部２４が緩むことはない。
【００２２】
〔本発明の実施の形態の効果〕
上記の本発明の実施の形態によれば、下記の効果を奏する。
（１）端末を取り扱う際の曲げ力や振動による導体接続端子（オス端子）の緩みを防止できる。
【００２３】
（２）導体接続端子（オス端子）の緩みを防止できるため、ケーブル端末部の寿命を長期化でき、また、保守性が向上する。
【図面の簡単な説明】
【００２４】
【図１】本発明の実施の形態に係るケーブル端末部の概略を示す側面図（一部断面）である。
【図２】図１におけるＡ領域の拡大図である。
【図３】本発明の実施の形態に係るケーブル端末部の組み立てフローの一部を示す説明図である。
【符号の説明】
【００２５】
１：導体接続端子
１ａ：先端側オネジ部
１ｂ：導体側オネジ部
１ｃ：ロックリング装着部
２：端末部絶縁体、（端末部絶縁体の外側部分である）半導電性ゴム
２ａ：突起部
３：端末保護ケース
４：接続用袋ナット
５：プーリングキャップ
６：ゴムスペーサー
７ａ：半導電性テープ
７ｂ：絶縁テープ
８：保護テープ
９：ゴムスペーサー
１０：ケーブル端末部
１１：保護カバー
１２：収縮チューブ
１３：圧着スリーブ
２１：埋込金具
２１ａ：メネジ部
２２：ロックリング
２２ａ：メネジ部
２２ｂ：孔
２４：ネジ部
３０：電力ケーブル
３１：ケーブル導体
３２：ケーブル絶縁体
３３：ケーブル外部半導電層
３４：ケーブル遮蔽層
【図１】
2007244085.tif 000003
【図２】
2007244085.tif 000004
【図３】
2007244085.tif 000005